(57)【特許請求の範囲】
【請求項１】
金属支持基板と、前記金属支持基板上に形成された第一絶縁層と、前記第一絶縁層上に形成された第一配線層と、前記第一配線層上に形成された第二絶縁層と、前記第二絶縁層上に形成された第二配線層とを有するサスペンション用基板であって、
前記第一配線層が、機能性素子に接続する機能性素子用配線層を有し、
前記第二配線層が、一対の配線層から構成され、記録再生用素子に接続する信号伝送用配線層を有し、
前記機能性素子用配線層が、前記信号伝送用配線層と平面視上重複する重複部を有することを特徴とするサスペンション用基板。
【請求項２】
前記重複部の幅が、平面視上、前記一対の配線層全体の幅を包含することを特徴とする請求項１に記載のサスペンション用基板。
【請求項３】
前記機能性素子が、熱アシスト用素子またはアクチュエータ素子であることを特徴とする請求項１または請求項２に記載のサスペンション用基板。
【請求項４】
前記機能性素子用配線層の端子部が、前記第一絶縁層側の表面で前記機能性素子と接続する端子部であることを特徴とする請求項１から請求項３までのいずれかの請求項に記載のサスペンション用基板。
【請求項５】
前記機能性素子用配線層の端子部が、前記第一絶縁層とは反対側の表面で前記機能性素子と接続するものであり、
前記端子部は、前記第一絶縁層側およびその反対側の両面が露出するものであることを特徴とする請求項１から請求項３までのいずれかの請求項に記載のサスペンション用基板。
【請求項６】
前記信号伝送用配線層の端子部は、前記第二絶縁層の屈曲部を経て、前記第一絶縁層上に形成されるものであり、
前記屈曲部の形状は、前記第二絶縁層の厚さが漸減する形状または急減する形状であることを特徴とする請求項１から請求項５までのいずれかの請求項に記載のサスペンション用基板。
【請求項７】
前記信号伝送用配線層の端子部は、前記第二絶縁層上に形成されることを特徴とする請求項１から請求項５までのいずれかの請求項に記載のサスペンション用基板。
【請求項８】
前記信号伝送用配線層の端子部が、前記第一配線層であり、
前記信号伝送用配線層の端子部および前記信号伝送用配線層が、前記第二絶縁層を貫通するビアで接続されていることを特徴とする請求項１から請求項５までのいずれかの請求項に記載のサスペンション用基板。
【請求項９】
請求項１から請求項８までのいずれかの請求項に記載のサスペンション用基板と、
前記サスペンション用基板の前記金属支持基板側の表面に設けられたロードビームと、
を有することを特徴とするサスペンション。
【請求項１０】
請求項９に記載のサスペンションと、前記サスペンションに実装された記録再生用素子および機能性素子と、を有することを特徴とする素子付サスペンション。
【請求項１１】
請求項１０に記載の素子付サスペンションを有することを特徴とするハードディスクドライブ。
【請求項１２】
金属支持基板と、前記金属支持基板上に形成された第一絶縁層と、前記第一絶縁層上に形成された第一配線層と、前記第一配線層上に形成された第二絶縁層と、前記第二絶縁層上に形成された第二配線層とを有するサスペンション用基板の製造方法であって、
機能性素子に接続する機能性素子用配線層を有する前記第一配線層を形成する第一配線層形成工程と、
一対の配線層から構成され、記録再生用素子に接続する信号伝送用配線層を有する前記第二配線層を形成する第二配線層形成工程と、
を有し、
前記第一配線層形成工程および前記第二配線層形成工程は、前記機能性素子用配線層が、前記信号伝送用配線層と平面視上重複する重複部を形成することを特徴とするサスペンション用基板の製造方法。
【発明の詳細な説明】
【技術分野】
【０００１】
本発明は、例えばハードディスクドライブ（ＨＤＤ）に用いられるサスペンション用基板に関する。
【背景技術】
【０００２】
近年、インターネットの普及等によりパーソナルコンピュータの情報処理量の増大や情報処理速度の高速化が要求されてきており、それに伴って、パーソナルコンピュータに組み込まれているハードディスクドライブ（ＨＤＤ）も大容量化や情報伝達速度の高速化が必要となってきている。
【０００３】
ＨＤＤの大容量化（高記録密度化）を図る手法の一つとして、熱アシスト記録が知られている（特許文献１〜７、非特許文献１）。熱アシスト記録は、記録の直前に記録媒体を加熱することによって、磁性体粒子の保磁力を一時的に下げて記録を行うものである。これにより、保磁力の大きな磁性体粒子を用いた場合であっても、記録媒体に情報を記録することが容易となる。また、高記録密度化を図る他の手法として、ＤＳＡ（Dual Stage Actuator）方式が知られている（特許文献８〜１０）。ＤＳＡ方式は、アクチュエータ素子（例えばピエゾ圧電効果素子）をサスペンション用基板に実装することにより、記録再生用素子（例えば磁気ヘッドスライダ）の位置決め精度を向上させるものである。これにより、記録媒体のトラックピッチを小さくすることができ、ＨＤＤの高記録密度化を図ることができる。
【０００４】
なお、記録再生用素子に対して読取りや書取りを行う信号伝送用配線層の低インピーダンス化を目的として、例えば特許文献１１には、信号伝送用配線層（記録側線路および再生側線路）の下に、絶縁層を介して下部導体を設けたサスペンション用基板が開示されている。また、特許文献１２には、一対の信号伝送用配線層を、絶縁層を介して積層した構造を有するサスペンション用基板が開示されている。
【先行技術文献】
【特許文献】
【０００５】
【特許文献１】特開２００９−３０１５９７号公報
【特許文献２】特開２０１０−４０１１２号公報
【特許文献３】特開２００８−１５９１５９号公報
【特許文献４】特開２００８−５９６９５号公報
【特許文献５】特開２００８−１３０１６５号公報
【特許文献６】特開２００８−５９６４５号公報
【特許文献７】特開２０１０−１４６６５５号公報
【特許文献８】米国特許第６１５７５２２号明細書
【特許文献９】米国特許第６２０１６６８号明細書
【特許文献１０】米国特許第６２９２３２０号明細書
【特許文献１１】特開２００５−０１１３８７号公報
【特許文献１２】特開２０１０−１０８５３７号公報
【非特許文献】
【０００６】
【非特許文献１】「ＨＤＤ容量を現行製品の５倍に高め、データセンターの消費電力低減にも貢献する熱アシスト方式の記録ヘッド基本技術を開発」、はいたっく、株式会社  日立製作所、２０１０年６月号、ｐ．１７−１８
【発明の概要】
【発明が解決しようとする課題】
【０００７】
サスペンション用基板は、通常、ばね性を有する金属支持基板と、金属支持基板上に形成された絶縁層と、絶縁層上に形成され、記録再生用素子に対して読取りや書取りを行う信号伝送用配線層とを有する。ここで、例えば熱アシスト記録およびＤＳＡ方式に用いられる素子を用いる場合は、これらの素子が駆動電力を必要とするため、電力を供給するための配線層がさらに必要となる。また、サスペンション用基板自体を高機能化させるために、配線層がさらに必要となる場合もある。必要とされる配線層の増加により、配線密度が高くなるという問題がある。その結果、配線層のデザイン自由度は低くなり、所定の配線幅を確保するためには、サスペンション用基板を大型化せざるを得ないという問題がある。また、配線幅のファイン化により、配線層のデザイン自由度を高めることも可能であるが、品質保証の観点から、配線幅のファイン化には限度があり、結果として、サスペンション用基板を大型化せざるを得ないという問題がある。
【０００８】
本発明は、上記問題点に鑑みてなされたものであり、配線層の増加に伴う大型化を抑制しつつ、配線層のデザイン自由度を高めたサスペンション用基板を提供することを主目的とする。
【課題を解決するための手段】
【０００９】
上記課題を解決するために、本発明においては、金属支持基板と、上記金属支持基板上に形成された第一絶縁層と、上記第一絶縁層上に形成された第一配線層と、上記第一配線層上に形成された第二絶縁層と、上記第二絶縁層上に形成された第二配線層とを有するサスペンション用基板であって、上記第一配線層が、機能性素子に接続する機能性素子用配線層を有し、上記第二配線層が、一対の配線層から構成され、記録再生用素子に接続する信号伝送用配線層を有することを特徴とするサスペンション用基板を提供する。
【００１０】
本発明によれば、第一配線層が機能性素子用配線層を有し、第二配線層が信号伝送用配線層を有することから、配線層の増加に伴う大型化を抑制しつつ、配線層のデザイン自由度を高めたサスペンション用基板とすることができる。このように、記録再生用素子に接続する信号伝送用配線層と、その他の素子に接続する機能性素子用配線層とを、それぞれ別の層とすることで、配線層の増加に伴う大型化を抑制しつつ、配線層のデザイン自由度を高めたサスペンション用基板とすることができる。
【００１１】
上記発明においては、上記機能性素子用配線層が、上記信号伝送用配線層と平面視上重複する重複部を有することが好ましい。機能性素子用配線層に、機能性素子に接続するという本来の機能に加えて、信号伝送用配線層のインピーダンスを低減させるという機能を付与できるからである。
【００１２】
上記発明においては、上記機能性素子が、熱アシスト用素子またはアクチュエータ素子であることが好ましい。
【００１３】
上記発明においては、上記機能性素子用配線層の端子部が、上記第一絶縁層側の表面で上記機能性素子と接続する端子部であることが好ましい。
【００１４】
また、本発明においては、上述したサスペンション用基板と、上記サスペンション用基板の上記金属支持基板側の表面に設けられたロードビームと、を有することを特徴とするサスペンションを提供する。
【００１５】
本発明によれば、上述したサスペンション用基板を用いることで、配線層の増加に伴う大型化を抑制しつつ、配線層のデザイン自由度を高めたサスペンションとすることができる。
【００１６】
また、本発明においては、上述したサスペンションと、上記サスペンションに実装された記録再生用素子および機能性素子と、を有することを特徴とする素子付サスペンションを提供する。
【００１７】
本発明によれば、上述したサスペンションを用いることで、配線層の増加に伴う大型化を抑制しつつ、配線層のデザイン自由度を高めたサスペンション素子付サスペンションとすることができる。
【００１８】
また、本発明においては、上述した素子付サスペンションを有することを特徴とするハードディスクドライブを提供する。
【００１９】
本発明によれば、上述した素子付サスペンションを用いることで、より高機能化されたハードディスクドライブとすることができる。
【００２０】
また、本発明においては、金属支持基板と、上記金属支持基板上に形成された第一絶縁層と、上記第一絶縁層上に形成された第一配線層と、上記第一配線層上に形成された第二絶縁層と、上記第二絶縁層上に形成された第二配線層とを有するサスペンション用基板の製造方法であって、機能性素子に接続する機能性素子用配線層を有する上記第一配線層を形成する第一配線層形成工程と、一対の配線層から構成され、記録再生用素子に接続する信号伝送用配線層を有する上記第二配線層を形成する第二配線層形成工程と、を有することを特徴とするサスペンション用基板の製造方法を提供する。
【００２１】
本発明によれば、機能性素子用配線層を有する第一配線層を形成する第一配線層形成工程と、信号伝送用配線層を有する第二配線層を形成する第二配線層形成工程とを有することにより、配線層の増加に伴う大型化を抑制しつつ、配線層のデザイン自由度を高めたサスペンション用基板を得ることができる。
【発明の効果】
【００２２】
本発明のサスペンション用基板は、配線層の増加に伴う大型化を抑制しつつ、配線層のデザイン自由度を高めることができるという効果を奏する。
【図面の簡単な説明】
【００２３】
【図１】一般的なサスペンション用基板の一例を示す概略平面図である。
【図２】本発明のサスペンション用基板の一例を示す模式図である。
【図３】一般的な熱アシスト用素子および記録再生用素子の一例を示す概略断面図である。
【図４】一般的なアクチュエータ素子の一例を示す概略断面図である。
【図５】本発明における第一配線層および第二配線層の位置関係について説明する模式図である。
【図６】本発明のサスペンション用基板の一例を示す模式図である。
【図７】本発明における熱アシスト用配線層の端子部を説明する概略断面図である。
【図８】本発明における信号伝送用配線層の端子部を説明する概略断面図である。
【図９】本発明におけるアクチュエータ素子を説明する概略平面図である。
【図１０】本発明におけるアクチュエータ素子を説明する概略断面図である。
【図１１】本発明のサスペンションの一例を示す模式図である。
【図１２】本発明のハードディスクドライブの一例を示す概略平面図である。
【図１３】本発明のサスペンション用基板の製造方法の一例を示す概略断面図である。
【発明を実施するための形態】
【００２４】
以下、本発明のサスペンション用基板、サスペンション、素子付サスペンション、ハードディスクドライブ、およびサスペンション用基板の製造方法について詳細に説明する。
【００２５】
Ａ．サスペンション用基板
本発明のサスペンション用基板は、金属支持基板と、上記金属支持基板上に形成された第一絶縁層と、上記第一絶縁層上に形成された第一配線層と、上記第一配線層上に形成された第二絶縁層と、上記第二絶縁層上に形成された第二配線層とを有するサスペンション用基板であって、上記第一配線層が、機能性素子に接続する機能性素子用配線層を有し、上記第二配線層が、一対の配線層から構成され、記録再生用素子に接続する信号伝送用配線層を有することを特徴とするものである。
【００２６】
図１は、一般的なサスペンション用基板の一例を示す概略平面図である。なお、図１では、便宜上、カバー層の記載は省略している。図１に示されるサスペンション用基板１００は、一方の先端部分に形成された記録再生用素子実装領域１０１と、他方の先端部分に形成された外部回路基板接続領域１０２と、記録再生用素子実装領域１０１および外部回路基板接続領域１０２を電気的に接続する複数の配線層１０３ａ〜１０３ｄとを有するものである。配線層１０３ａおよび配線層１０３ｂは一対の配線層であり、同様に、配線層１０３ｃおよび配線層１０３ｄも一対の配線層である。これらの２つの配線層は、一方がライト用配線層であり、他方がリード用配線層である。
【００２７】
図２は、本発明のサスペンション用基板の一例を示す模式図である。図２（ａ）はサスペンション用基板の記録再生用素子実装領域を第二配線層側から観察した概略平面図であり、図２（ｂ）は図２（ａ）のＡ−Ａ断面図である。なお、図２（ａ）では、便宜上、カバー層および絶縁層の記載は省略しており、第一配線層は破線で示している。
【００２８】
図２（ｂ）に示すように、本発明のサスペンション用基板は、金属支持基板１と、金属支持基板１上に形成された第一絶縁層２ｘと、第一絶縁層２ｘ上に形成された第一配線層３ｘと、第一配線層３ｘ上に形成された第二絶縁層２ｙと、第二絶縁層２ｙ上に形成された第二配線層３ｙと、第二配線層３ｙを覆うカバー層４とを有するものである。本発明においては、第一配線層３ｘが、機能性素子（例えば熱アシスト用素子）に接続する機能性素子用配線層３ｅ、３ｆを有し、第二配線層３ｙが、記録再生用素子に接続する信号伝送用配線層（ライト用配線層３ａ、３ｂ、リード用配線層３ｃ、３ｄ）を有することを大きな特徴とする。さらに、機能性素子用配線層３ｅ、３ｆは、信号伝送用配線層３ａ〜３ｄと平面視上重複するように形成されていることが好ましい。信号伝送用配線層３ａ〜３ｄの低インピーダンス化を図ることができるからである。
【００２９】
本発明によれば、第一配線層が機能性素子用配線層を有し、第二配線層が信号伝送用配線層を有することから、配線層の増加に伴う大型化を抑制しつつ、配線層のデザイン自由度を高めたサスペンション用基板とすることができる。このように、記録再生用素子に接続する信号伝送用配線層と、その他の素子に接続する機能性素子用配線層とを、それぞれ別の層とすることで、配線層の増加に伴う大型化を抑制しつつ、配線層のデザイン自由度を高めたサスペンション用基板とすることができる。ここで、サスペンション用基板が幅方向に大型化すると、製品配置ピッチの拡大（面付される製品数の減少）によりコストが増加するという欠点、低剛性化が困難になるという欠点が生じる。これに対して、本発明のサスペンション用基板は、信号伝送用配線層および機能性素子用配線層を、第二絶縁層を介して厚さ方向に積層するため、このような欠点は生じない。
以下、本発明のサスペンション用基板について、サスペンション用基板の部材と、サスペンション用基板の構成とに分けて説明する。
【００３０】
１．サスペンション用基板の部材
まず、本発明のサスペンション用基板の部材について説明する。本発明のサスペンション用基板は、金属支持基板、第一絶縁層、第一配線層、第二絶縁層および第二配線層を有するものである。
【００３１】
本発明における金属支持基板は、サスペンション用基板の支持体として機能するものである。金属支持基板の材料は、ばね性を有する金属であることが好ましく、具体的にはＳＵＳ等を挙げることができる。また、金属支持基板の厚さは、その材料の種類により異なるものであるが、例えば１０μｍ〜２０μｍの範囲内である。
【００３２】
本発明における第一絶縁層は、金属支持基板上に形成されるものである。第一絶縁層の材料は、絶縁性を有するものであれば特に限定されるものではないが、例えば樹脂を挙げることができる。上記樹脂としては、例えばポリイミド樹脂、ポリベンゾオキサゾール樹脂、ポリベンゾイミダゾール樹脂、アクリル樹脂、ポリエーテルニトリル樹脂、ポリエーテルスルホン樹脂、ポリエチレンテレフタレート樹脂、ポリエチレンナフタレート樹脂およびポリ塩化ビニル樹脂を挙げることができ、中でもポリイミド樹脂が好ましい。絶縁性、耐熱性および耐薬品性に優れているからである。また、第一絶縁層の材料は、感光性材料であっても良く、非感光性材料であっても良い。第一絶縁層の厚さは、例えば５μｍ〜３０μｍの範囲内であることが好ましく、５μｍ〜１８μｍの範囲内であることがより好ましく、５μｍ〜１２μｍの範囲内であることがさらに好ましい。
【００３３】
本発明における第一配線層は、第一絶縁層上に形成されるものである。第一配線層の材料は、導電性を有するものであれば特に限定されるものではないが、例えば金属を挙げることができ、中でも銅（Ｃｕ）が好ましい。また、第一配線層の材料は、圧延銅であっても良く、電解銅であっても良い。第一配線層の厚さは、例えば５μｍ〜１８μｍの範囲内であることが好ましく、９μｍ〜１２μｍの範囲内であることがより好ましい。また、第一配線層の一部の表面には、配線めっき部が形成されていることが好ましい。配線めっき部を設けることにより、配線層の劣化（腐食等）を防止できるからである。中でも、本発明においては、素子や外部回路基板との接続を行う端子部に配線めっき部が形成されていることが好ましい。配線めっき部の種類は特に限定されるものではないが、例えば、Ａｕめっき、Ｎｉめっき、Ａｇめっき等を挙げることができる。中でも、本発明においては、第一配線層の表面側から、ＮｉめっきおよびＡｕめっきが形成されていることが好ましい。配線めっき部の厚さは、例えば０．１μｍ〜４μｍの範囲内である。
【００３４】
本発明における第二絶縁層は、第一配線層および第二配線層の間に形成されるものである。第二絶縁層の材料については、上述した第一絶縁層の材料と同様である。第一配線層および第二配線層の間の第二絶縁層の厚さ（配線間厚さ）は、特に限定されるものではないが、例えば５μｍ〜３０μｍの範囲内であることが好ましく、５μｍ〜１８μｍの範囲内であることがより好ましく、５μｍ〜１２μｍの範囲内であることがさらに好ましい。
【００３５】
本発明における第二配線層は、第二絶縁層上に形成されるものである。第二配線層の材料および厚さ等については、例えば、上述した第一配線層における場合と同様である。また、素子実装時に第二配線層の端子部を折り曲げ加工する場合、または、第二配線層がその両面を露出させたフライングリード部を有する場合には、機械的強度の優れた第二配線層を用いることが好ましい。具体的には、第二配線層の材料または厚さを選択することで、第二配線層の機械的強度を向上させることが好ましい。例えば、第二配線層の材料として、電解銅よりも機械的強度の優れた圧延銅を用いることが好ましい。また、電解銅を用いる場合には、その厚さを厚く（例えば１２μｍ以上に）することが好ましい。また、第二配線層の一部の表面には、配線めっき部が形成されていることが好ましい。
【００３６】
また、本発明のサスペンション用基板は、第二配線層を覆うように形成されたカバー層を有していても良い。カバー層を設けることにより、第二配線層の劣化（腐食等）を防止できる。カバー層の材料としては、例えば、上述した第一絶縁層の材料として記載した樹脂を挙げることができ、中でもポリイミド樹脂が好ましい。また、カバー層の材料は、感光性材料であっても良く、非感光性材料であっても良い。カバー層の厚さは、例えば２μｍ〜３０μｍの範囲内であることが好ましく、２μｍ〜１０μｍの範囲内であることがより好ましい。
【００３７】
２．サスペンション用基板の構成
次に、本発明のサスペンション用基板の構成について説明する。本発明のサスペンション用基板は、第一配線層が機能性素子用配線層を有し、第二配線層が信号伝送用配線層を有することを大きな特徴とする。
【００３８】
本発明における機能性素子用配線層は、機能性素子に接続するための配線層である。機能性素子用配線層は、例えば、機能性素子に電力を供給するための配線層である。また、本発明における機能性素子は、記録再生用素子以外の素子であって、ハードディスクドライブに何らかの機能を付与する素子である。このような機能性素子としては、例えば、熱アシスト用素子、アクチュエータ素子等を挙げることができる。一方、本発明における記録再生用素子としては、記録媒体（ディスク）に対して記録および再生ができるものであれば特に限定されるものではないが、例えば、磁気発生素子およびスライダを有するものを挙げることができる。
【００３９】
ここで、図３は、一般的な熱アシスト用素子および記録再生用素子の一例を示す概略断面図である。図３における熱アシスト用素子２１０は、半導体基板２０１と、第一クラッド層２０２と、活性層２０３と、第二クラッド層２０４と、反射ミラー２０５とを有する。一方、図３における記録再生用素子２２０は、スライダ２１１と、磁界発生素子２１２と、近接場光発生素子２１３と、光導波路２１４とを有する。また、熱アシスト用素子２１０および記録再生用素子２２０は、接着層２３０により接合されている。ここで、活性層２０３からの出力光は、反射ミラー２０５で反射し、光導波路２１４を通過し、近接場光発生素子２１３に至る。これにより、磁界発生素子２１２が記録を行う直前に記録媒体を加熱することができ、磁性体粒子の保磁力を一時的に下げることができる。
【００４０】
熱アシスト用素子は、記録再生用素子の記録を熱によりアシストできるものであれば特に限定されるものではない。中でも、本発明における熱アシスト用素子は、光を利用した素子であることが好ましい。光ドミナント記録方式による熱アシスト記録を行うことができるからである。光を利用した熱アシスト用素子としては、例えば半導体レーザーダイオード素子を挙げることができる。半導体レーザーダイオード素子は、ｐｎ型の素子であっても良く、ｐｎｐ型またはｎｐｎ型の素子であっても良い。光を利用した熱アシスト用素子は、出力光をスライダ等に設けられた光導波路に導くために、必要に応じて、反射レンズ、集光レンズ等を有していても良い。また、半導体レーザーダイオード素子は、面発光レーザーであっても良く、端面発光レーザーであっても良い。
【００４１】
一方、図４は、一般的なアクチュエータ素子の一例を示す模式図である。図４（ａ）は、アクチュエータ素子の一例を示す概略平面図であり、図４（ｂ）は図４（ａ）のＡ−Ａ断面図である。図４（ａ）に示されるアクチュエータ素子２３０は、ＰＺＴからなるピエゾ圧電効果素子であり、ＰＺＴの表面には、Ａｕめっきからなるパッドが形成されている。また、２つのパッドはそれぞれ異なる極性を有しており、ピエゾ圧電効果素子は、単一の素子で２極を有している。ピエゾ圧電効果素子の伸縮応答を利用することで、サブミクロン単位での位置決めを行うことができる。また、ピエゾ圧電効果素子には、エネルギー効率が高い、耐荷重が大きい、応答性が速い、摩耗劣化がない、磁場が発生しないという利点がある。なお、図４では、２極を有するピエゾ圧電効果素子を示したが、１極を有するピエゾ圧電効果素子を２個用いても良い。
【００４２】
本発明における信号伝送用配線層は、記録再生用素子に接続するための配線層である。信号伝送用配線層は、通常、一対の配線層から構成される差動配線であり、記録再生用素子に対して、記録または再生を行う。本発明における第二配線層は、信号伝送用配線層を有することを大きな特徴とするが、第二配線層における信号伝送用配線層は、ライト用配線層のみであっても良く、リード用配線層のみであっても良く、ライト用配線層およびリード用配線層の両方であっても良い。
【００４３】
次に、本発明における第一配線層および第二配線層の位置関係について説明する。ここで、図５（ａ）、（ｃ）、（ｅ）は、本発明における機能性素子用配線層および信号伝送用配線層の位置関係を示す概略平面図であり、図５（ｂ）、（ｄ）、（ｆ）はそれぞれ図５（ａ）、（ｃ）、（ｅ）のＡ−Ａ断面図である。なお、図５（ａ）、（ｃ）、（ｅ）では、便宜上、カバー層および絶縁層の記載は省略しており、機能性素子用配線層は破線で示している。また、図５（ａ）、（ｃ）、（ｅ）は、図２（ａ）の領域Ｓに相当する概略平面図である。
【００４４】
本発明においては、図５（ａ）、（ｂ）に示すように、機能性素子用配線層３ｅが、信号伝送用配線層３ａ、３ｂと平面視上重複する重複部を有することが好ましい。機能性素子用配線層に、機能性素子に接続するという本来の機能に加えて、信号伝送用配線層のインピーダンスを低減させるという機能を付与できるからである。さらにインピーダンスの設計の観点からは、平面視上、重複部の幅が、一対の配線層全体の幅を包含するものであることが好ましい。
【００４５】
図５（ｂ）において、第二配線層３ｙの幅は、例えば１０μｍ〜２００μｍの範囲内であることが好ましく、１０μｍ〜１００μｍの範囲内であることがより好ましい。一方、機能性素子用配線層３ｅの重複部の幅は、例えば４０μｍ〜１０００μｍの範囲内であることが好ましく、４０μｍ〜２５０uｍの範囲内であることがより好ましい。また、信号伝送用配線層３ａ、３ｂの全長に対して、機能性素子用配線層３ｅの重複部の長さは、例えば５０％以上であることが好ましく、８０％以上であることがより好ましく、９０％以上であることがさらに好ましい。特にインピーダンスの設計においては、信号伝送用配線層が同じ太さで直線的に形成された領域で、インピーダンスの調整を行うことが好ましい。インピーダンスの設計を行いやすいからである。
【００４６】
また、本発明においては、図５（ｃ）、（ｄ）に示すように、第一配線層３ｘの導体部３ｇが、信号伝送用配線層３ａ、３ｂと平面視上重複していても良い。この構造は、機能性素子用配線層３ｅの重複部の代わりに、インピーダンス調整用の導体部３ｇを設けたものである。なお、本発明においては、図５（ｅ）、（ｆ）に示すように、機能性素子用配線層３ｅが、信号伝送用配線層３ａ、３ｂと重複しないものであっても良い。
【００４７】
次に、機能性素子が熱アシスト用素子である場合について、さらに詳細に説明する。図６は、本発明のサスペンション用基板の一例を示す模式図である。図６（ａ）はサスペンション用基板の記録再生用素子実装領域を第二配線層側から観察した概略平面図であり、図６（ｂ）は図６（ａ）に記録再生用素子２２０が実装された状態を示す概略平面図である。一方、図６（ｃ）は図６（ａ）を裏面側から観察した概略平面図であり、図６（ｄ）は図６（ｃ）に熱アシスト用素子２１０が実装された状態を示す概略平面図である。また、図６（ｅ）は図６（ａ）のＡ−Ａ断面図である。なお、図６（ａ）、（ｂ）では、便宜上、カバー層および絶縁層の記載は省略しており、第一配線層は破線で示している。また、図６（ａ）〜（ｄ）では、便宜上、配線めっき部の記載は省略している。
【００４８】
図６に示すように、本発明のサスペンション用基板は、ライト用配線層３ａ、３ｂと、リード用配線層３ｃ、３ｄと、熱アシスト用素子２１０に電力を供給する熱アシスト用配線層３ｅ、３ｆと、を有する。これらの配線層の端子部は、熱アシスト用素子２１０および記録再生用素子２２０と接続できるように、金属支持基板１の開口部近傍に配置される。特に図６（ａ）に示すように、機能性素子用配線層３ｅ、３ｆは、金属支持基板１の開口部に至る直前まで、信号伝送用配線層３ａ〜３ｄと平面視上重複するように形成されている。
【００４９】
また、図６（ｅ）に示すように、熱アシスト用配線層３ｅの端子部３Ｅは、第一絶縁層２ｘ側の表面に配線めっき部（例えばＡｕめっき部）５を有し、導電性接続部（例えば半田）１２を介して、熱アシスト用素子２１０と接続されている。一方、ライト用配線層３ｂの端子部３Ｂは、カバー層４側（第二絶縁層２ｙとは反対側）の表面に配線めっき部５を有し、導電性接続部１２を介して、記録再生用素子２２０と接続されている。
【００５０】
次に、熱アシスト用配線層の端子部と、熱アシスト用素子との接続方法について説明する。熱アシスト用配線層の端子部は、第一絶縁層側の表面で熱アシスト用素子と接続するものであっても良く、第一絶縁層とは反対側の表面で熱アシスト用素子と接続するものであっても良い。なお、前者を、バックサイドアクセスと称する場合がある。
【００５１】
第一絶縁層側の表面で熱アシスト用素子と接続する端子部としては、例えば図７（ａ）に示すように、第一絶縁層２ｘ側の表面で熱アシスト用素子と接続する端子部３Ｅを挙げることができる。この端子部３Ｅ上には、カバー層４（または第二絶縁層）が形成されていることが好ましい。
【００５２】
このような端子部は、以下のような利点を有する。すなわち、熱アシスト用素子を、端子部の第一絶縁層側の表面で接続することにより、空気の流れを利用したスライダ底面からの負圧による下向きの力を、柔軟性のあるフレキシャ（サスペンション用基板）に直に伝えることが可能となり、記録再生用素子の浮上姿勢をコントロールしやすくなるという利点がある。ここで、サスペンション用基板に対して、記録再生用素子に加えて、熱アシスト用素子を実装させる場合、記録再生用素子のみを実装させる場合に比べて、熱アシスト用素子の分だけ重量が増加する。そのため、記録コイルを位置決めするボイスコイルモータやデュアルステージアクチュエータ（マイクロもしくはミリアクチュエーター）の負担が大きくなり高速位置決めの妨げになることがことが考えられる。また、ＨＤＤに衝撃が加わった場合等、位置決めの際の外乱の増加につながり、激しい場合には微小な浮上量を維持できず記録再生用素子がディスクと接触してしまう問題（クラッシュ）が発生しやすくなる。そのため、サスペンションの浮上姿勢をよりコントロールすることが重要となる。
【００５３】
一方、第一絶縁層とは反対側の表面で熱アシスト用素子と接続する端子部の一例としては、図７（ｂ）に示すように、第一絶縁層側およびその反対側の両面が露出する端子部３Ｅを挙げることができる。この端子部３Ｅは、折り曲げ加工されて、熱アシスト用素子と接続することが好ましい。
【００５４】
このような端子部は、以下のような利点を有する。すなわち、記録再生用素子に対して、熱アシスト用素子の配置可能な面積を大きく確保できるため、記録再生用素子と熱アシスト用素子との位置関係を制御することが容易になるという利点がある。ここで、記録再生用素子上に配置する熱アシスト用素子の位置は、磁極脇に形成した導波路（スライダ中の導波路）に対して正確に合わせないと、光源とスライダ間の導波路とスライダ中の導波路との光の結合効率、もしくは、光源とスライダ中の導波路との光の結合効率が低下してしまい、その結果、スライダ中の導波路に導入される光強度が低下し、ディスクの上昇温度が低下してしまうという問題が生じる。そのため、記録再生用素子と熱アシスト用素子との位置関係を制御することが重要となる。また、記録再生用素子に対して、熱アシスト用素子の配置可能な面積を大きく確保できるため、高出力化に伴って熱アシスト用素子のサイズが大きくなっても、容易に配置することができる。また、配線層を折り曲げることにより、折り曲げない場合に比べて、熱アシスト用素子を配置可能な面積が大きくなるので、熱アシスト用素子のサイズが大きくなっても、開口部のサイズを変更しなくて良いという利点もある。配線層を折り曲げない場合は、その接続構造を熱アシスト用素子の底面に作製しなければならず、熱アシスト用素子を配置可能な面積が小さくなってしまう。また、配線層を折り曲げることにより、側面に接続構造を配す熱アシスト用素子において、その素子にリード線を設けることなく、接続が可能となるという利点もある。
【００５５】
次に、本発明における熱アシスト用配線層および記録再生用素子の配置について説明する。図６（ｃ）、（ｄ）に示すように、本発明における金属支持基板１は、熱アシスト用素子２１０を嵌め込むように配置するための開口部１ｂを有することが好ましい。熱アシスト用配線層の端子部がバックサイドアクセスを行いやすいからである。上記開口部は、熱アシスト用素子を嵌め込むように配置するためのものであれば、金属支持基板の外周面から完全に分離した開口部（例えば図６（ｃ）に示す開口部１ｂ）であっても良く、開口部の一部が金属支持基板の外周面に接続する切り欠き部を有する開口部であっても良い。
【００５６】
また、図６（ｅ）に示すように、本発明のサスペンション用基板は、その表面上に記録再生用素子２２０を実装するものであることが好ましい。さらに、開口部１ｂに熱アシスト用素子２１０を嵌め込むように配置することにより、開口部１ｂから露出する記録再生用素子２２０上に熱アシスト用素子２１０が実装されることが好ましい。なお、サスペンション用基板と記録再生用素子２２０との間、および、熱アシスト用素子２１０と記録再生用素子２２０との間には、それぞれ接着層が形成されていても良い。
【００５７】
次に、信号伝送用配線層および記録再生用素子の接続について説明する。本発明における信号伝送用配線層は、第二絶縁層上に形成されるものである。図８（ａ）に示すように、ライト用配線層３ｂの端子部３Ｂは、記録再生用素子２２０と接続する前に、第二絶縁層２ｙの屈曲部１１を経て、第一絶縁層２ｘ上に形成されていても良い。第一絶縁層２ｘ上に端子部３Ｂを形成することにより、従来のサスペンション用基板と同様にして、端子部３Ｂおよび記録再生用素子２２０を接続させることができる。屈曲部１１の形状は、図８（ａ）のように、第二絶縁層２ｙの厚さが漸減する形状（０＜θ＜９０°）であっても良く、第二絶縁層２ｙの厚さが急減する形状（θ＝９０°）であっても良い。一方、図８（ｂ）に示すように、ライト用配線層３ｂの端子部３Ｂは、第二絶縁層２ｙ上に形成されたものであっても良い。第二絶縁層２ｙ上に端子部３Ｂを形成することにより、ライト用配線層３ｂ（第二配線層３ｙ）を、屈曲させることなく、記録再生用素子２２０に接続させることができるため、断線等の破損が生じにくいという利点がある。また、図８（ｃ）に示すように、ライト用配線層３ｂ（第二配線層３ｙ）を、第二絶縁層２ｙを貫通し、第一配線層３ｘと接続するように、形成しても良い。なお、図８（ｃ）では、第二絶縁層２ｙを貫通するビアを、第二配線層３ｙの一部として表現しているが、第二配線層３ｙおよび第一配線層３ｘは、任意のビア（例えばビアめっき）で電気的に接続させることができる。また、図８においては、信号伝送用配線層および記録再生用素子の接続について、熱アシスト用素子２１０が存在する場合を用いて説明しているが、熱アシスト用素子２１０が存在しない場合においても同様である。
【００５８】
次に、機能性素子がアクチュエータ素子である場合について、さらに詳細に説明する。図９は、本発明におけるアクチュエータ素子を説明する概略平面図である。図９（ａ）は、アクチュエータ素子をサスペンション用基板１００側から観察した概略平面図であり、図９（ｂ）は図９（ａ）を裏面側から観察した概略平面図である。また、図１０は、図９（ａ）のＡ−Ａ断面図である。
【００５９】
図９、図１０に示すように、本発明のサスペンション用基板１００は、第一配線層３ｘとしてアクチュエータ素子用配線層３ｇを有し、第二配線層３ｙとして信号伝送用配線層（ライト用配線層３ａ、３ｂ、リード用配線層３ｃ、３ｄ）を有する。アクチュエータ素子２３０は、サスペンション用基板１００の金属支持基板１側の表面に配置され、サスペンションを構成する金属支持基板２３１に嵌め込まれるように配置されている。また、アクチュエータ素子をはめ込むように配置できる金属支持板を別途用意しても良い。さらに、アクチュエータ素子用配線層３ｇと、アクチュエータ素子２３０とは、接続部２３２により電気的に接続されている。接続部２３２としては、半田、導電性接着剤等を挙げることができる。また、金属を用いた超音波接合により、接続部２３２を形成しても良い。
【００６０】
なお、本発明のサスペンション用基板は、第一配線層が信号伝送用配線層を有し、第二配線層が機能性素子用配線層を有していても良い。
【００６１】
Ｂ．サスペンション
次に、本発明のサスペンションについて説明する。本発明のサスペンションは、上述したサスペンション用基板と、上記サスペンション用基板の上記金属支持基板側の表面に設けられたロードビームと、を有することを特徴とするものである。
【００６２】
図１１は、本発明のサスペンションの一例を示す模式図である。図１１（ａ）は、本発明のサスペンションの一例を示す概略平面図であり、図１１（ｂ）は図１１（ａ）をロードビーム側から観察した概略平面図であり、図１１（ｃ）は図１１（ｂ）のＡ−Ａ断面図である。図１１（ａ）、（ｂ）に示すように、本発明のサスペンションは、上述したサスペンション用基板１００と、サスペンション用基板１００の金属支持基板側の表面に設けられたロードビーム３１０とを有するものである。ロードビーム３１０は、機能性素子（例えば熱アシスト用素子）を嵌め込むように配置するための開口部３０１を有している。また、図１１（ｃ）に示すように、本発明においては、サスペンション用基板１００の表面上に、記録再生用素子２２０が実装され、サスペンション用基板１００およびロードビーム３１０の開口部に、機能性素子（例えば熱アシスト用素子）２１０が嵌め込まれるように配置されることが好ましい。
【００６３】
本発明によれば、上述したサスペンション用基板を用いることで、配線層の増加に伴う大型化を抑制しつつ、配線層のデザイン自由度を高めたサスペンションとすることができる。
【００６４】
本発明におけるサスペンション用基板については、上記「Ａ．サスペンション用基板」に記載した内容と同様であるので、ここでの記載は省略する。一方、本発明におけるロードビームは、サスペンション用基板の金属支持基板側の表面に設けられるものである。ロードビームの材料は、特に限定されるものではないが、例えば金属を挙げることができ、ＳＵＳであることが好ましい。
【００６５】
Ｃ．素子付サスペンション
次に、本発明の素子付サスペンションについて説明する。本発明の素子付サスペンションは、上述したサスペンションと、上記サスペンションに実装された記録再生用素子および機能性素子と、を有することを特徴とするものである。
【００６６】
本発明によれば、上述したサスペンションを用いることで、配線層の増加に伴う大型化を抑制しつつ、配線層のデザイン自由度を高めたサスペンション素子付サスペンションとすることができる。
【００６７】
本発明の素子付サスペンションの一例としては、例えば、上述した図１１（ｃ）に示す素子付サスペンションを挙げることができる。また、本発明の素子付サスペンションは、少なくともサスペンションおよび素子を有するものである。サスペンションについては、上記「Ｂ．サスペンション」に記載した内容と同様であるので、ここでの記載は省略する。また、記録再生用素子および機能性素子についても、上記「Ａ．サスペンション用基板」に記載した内容と同様であるので、ここでの記載は省略する。
【００６８】
Ｄ．ハードディスクドライブ
次に、本発明のハードディスクドライブについて説明する。本発明のハードディスクドライブは、上述した素子付サスペンションを有することを特徴とするものである。
【００６９】
本発明によれば、上述した素子付サスペンションを用いることで、より高機能化されたハードディスクドライブとすることができる。
【００７０】
図１２は、本発明のハードディスクドライブの一例を示す概略平面図である。図１２に示されるハードディスクドライブ５００は、上述した素子付サスペンション４００と、素子付サスペンション４００がデータの書き込みおよび読み込みを行うディスク４０１と、ディスク４０１を回転させるスピンドルモータ４０２と、素子付サスペンション４００の素子を移動させるアーム４０３およびボイスコイルモータ４０４と、上記の部材を密閉するケース４０５とを有するものである。
【００７１】
本発明のハードディスクドライブは、少なくとも素子付サスペンションを有し、通常は、さらにディスク、スピンドルモータ、アームおよびボイスコイルモータを有する。素子付サスペンションについては、上記「Ｃ．素子付サスペンション」に記載した内容と同様であるので、ここでの記載は省略する。また、その他の部材についても、一般的なハードディスクドライブに用いられる部材と同様のものを用いることができる。
【００７２】
Ｅ．サスペンション用基板の製造方法
次に、本発明のサスペンション用基板の製造方法について説明する。本発明のサスペンション用基板の製造方法は、金属支持基板と、上記金属支持基板上に形成された第一絶縁層と、上記第一絶縁層上に形成された第一配線層と、上記第一配線層上に形成された第二絶縁層と、上記第二絶縁層上に形成された第二配線層とを有するサスペンション用基板の製造方法であって、機能性素子に接続する機能性素子用配線層を有する上記第一配線層を形成する第一配線層形成工程と、一対の配線層から構成され、記録再生用素子に接続する信号伝送用配線層を有する上記第二配線層を形成する第二配線層形成工程と、を有することを特徴とするものである。
【００７３】
図１３は、本発明のサスペンション用基板の製造方法の一例を示す概略断面図である。図１３は図５（ｂ）と同様に、図５（ａ）のＡ−Ａ断面図に相当するものである。図１３においては、まず、金属支持部材１Ａと、金属支持部材１Ａ上に形成された絶縁部材２Ａと、絶縁部材２Ａ上に形成された導体部材３Ａとを有する積層部材を準備する（図１３（ａ））。次に、導体部材３Ａおよび金属支持部材１Ａの表面に、ドライフィルムレジスト（ＤＦＲ）を用いて、所定のレジストパターンを形成し、そのレジストパターンから露出する導体部材３Ａおよび金属支持部材１Ａをウェットエッチングすることにより、機能性素子用配線層を有する第一配線層３ｘおよび金属支持基板１を形成する（図１３（ｂ））。この際、金属支持部材１Ａのウェットエッチングにより、開口部や治具孔を形成することが好ましい。
【００７４】
その後、第一配線層３ｘを覆うように第二絶縁層２ｙを形成する（図１３（ｃ））。次に、全面スパッタリングにより第二絶縁層２ｙの表面上にシード層を形成し、そのシード層の表面に所定のレジストパターンを形成する。次に、レジストパターンから露出する部分に、電解めっき法により、信号伝送用配線層を有する第二配線層３ｙを形成する（図１３（ｄ））。次に、第二配線層３ｙを覆うようにカバー層４を形成する（図１３（ｅ））。
【００７５】
その後、絶縁部材２Ａに対して所定のレジストパターンを形成し、そのレジストパターンから露出する絶縁部材２Ａをウェットエッチングすることにより、第一絶縁層２ｘを形成する（図１３（ｆ））。次に、電解めっき法により、第一配線層３ｘおよび第二配線層３ｙの端子部に配線めっき部を形成し、最後に金属支持基板１の外形加工を行うことで、サスペンション用基板を得る（図１３（ｇ））。
【００７６】
本発明によれば、機能性素子用配線層を有する第一配線層を形成する第一配線層形成工程と、信号伝送用配線層を有する第二配線層を形成する第二配線層形成工程とを有することにより、配線層の増加に伴う大型化を抑制しつつ、配線層のデザイン自由度を高めたサスペンション用基板を得ることができる。
【００７７】
本発明のサスペンション用基板の製造方法は、第一配線層形成工程および第二配線層形成工程を有するものであれば特に限定されるものではない。これらの配線層形成工程は、アディティブ法によるサスペンション用基板の製造方法の一工程であっても良く、サブトラクティブ法によるサスペンション用基板の製造方法の一工程であっても良い。
以下、サブトラクティブ法によるサスペンション用基板の製造方法の一例について、工程ごとに説明する。
【００７８】
１．積層部材準備工程
本発明における積層部材準備工程は、金属支持部材と、上記金属支持部材上に形成された絶縁部材と、上記絶縁部材上に形成された導体部材とを有する積層部材を準備する工程である。本発明における積層部材は、市販の積層部材を用いても良く、金属支持部材上に、絶縁部材および導体部材を形成することによって形成しても良い。
【００７９】
２．第一配線層形成工程
本発明における第一配線層形成工程は、上記導体部材をエッチングすることにより、機能性素子に接続する機能性素子用配線層を有する上記第一配線層を形成する工程である。
【００８０】
第一配線層の形成方法としては、例えば、積層部材の導体部材上に、レジストパターンを形成し、そのレジストパターンから露出する導体部材をウェットエッチングする方法を挙げることができる。ウェットエッチングに用いるエッチング液の種類は、導体部材の種類に応じて適宜選択することが好ましく、例えば導体部材の材料が銅である場合には、塩化鉄系エッチング液等を用いることができる。
【００８１】
３．金属支持基板形成工程
本発明における金属支持基板形成工程は、上記金属支持部材をエッチングすることにより、金属支持基板を形成する工程である。
【００８２】
金属支持基板の形成方法としては、例えば、積層部材の金属支持部材上に、レジストパターンを形成し、そのレジストパターンから露出する金属支持部材をウェットエッチングする方法を挙げることができる。ウェットエッチングに用いるエッチング液の種類は、金属支持部材の種類に応じて適宜選択することが好ましく、例えば金属支持部材の材料がＳＵＳである場合には、塩化鉄系エッチング液等を用いることができる。また、本工程は、上述した第一配線層形成工程と同時に行うことが好ましい。
【００８３】
４．第二絶縁層形成工程
本発明における第二絶縁層形成工程は、上記第一配線層上に、第二絶縁層を形成する工程である。第二絶縁層の形成方法は、特に限定されるものではなく、第二絶縁層の材料に応じて適宜選択することが好ましい。例えば、第二絶縁層の材料が感光性材料である場合には、全面形成した第二絶縁層に露光現像を行うことによりパターン状の第二絶縁層を得ることができる。また、第二絶縁層の材料が非感光性材料である場合は、全面形成した第二絶縁層の表面に所定のレジストパターンを形成し、そのレジストパターンから露出した部分を、ウェットエッチングにより除去することによりパターン状の第二絶縁層を得ることができる。
【００８４】
５．第二配線層形成工程
本発明における第二配線層形成工程は、上記第二絶縁層上に、一対の配線層から構成され、記録再生用素子に接続する信号伝送用配線層を有する上記第二配線層を形成する工程である。
【００８５】
第二配線層の形成方法としては、例えば、まず第二絶縁層上にシード層を形成し、次にシード層の表面上に所定のレジストパターンを形成し、最後に、レジストパターンから露出する部分に電解めっき法により第二配線層を形成する方法を挙げることができる。シード層の形成方法としては、例えば、スパッタリング法、無電解めっき法等を挙げることができる。また、シード層の材料としては、例えばＮｉ、Ｃｒ、Ｃｕ等の金属を挙げることができる。また、シード層は、単層であっても良く、多層であっても良く、単層の複合層であっても良い。また、上述した第二絶縁層形成工程の際に、第二絶縁層に所定の開口を形成することで、第一配線層に電気的に接続されたシード層が得られる。その結果、第二配線層形成工程において、第一配線層からの給電により、第二配線層を形成することができる。
【００８６】
６．カバー層形成工程
本発明におけるカバー層形成工程は、上記第二配線層を覆うようにカバー層を形成する工程である。カバー層の形成方法は、例えば、上述した第二絶縁層の形成方法と同様の方法を挙げることができる。
【００８７】
７．配線めっき部形成工程
本発明における配線めっき部形成工程は、上記第一配線層および上記第二配線層の端子部に、配線めっき部を形成する工程である。配線めっき部を形成する方法としては、具体的には、電解めっき法を挙げることができる。また、第一配線層および／または第二配線層と、金属支持基板とを電気的に接続する場合には、配線めっき部形成後に、ビアめっき部を形成することにより、層間接続を確保することができる。
【００８８】
なお、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【実施例】
【００８９】
以下、実施例を用いて、本発明をさらに具体的に説明する。
【００９０】
［実施例］
まず、厚さ１８μｍのＳＵＳ３０４（金属支持部材）、厚さ１０μｍのポリイミド樹脂層（絶縁部材）、厚さ９μｍの電解銅層（導体部材）を有する積層部材を準備した（図１３（ａ））。次に、ドライフィルムレジストを積層部材の両面にラミネートし、レジストパターンを形成した。次に、塩化第二鉄液を用いてエッチングし、エッチング後レジスト剥膜を行った。これにより、導体部材から第一配線層を形成し、金属支持部材から金属支持基板を形成した（図１３（ｂ））。
【００９１】
その後、パターニングされた第一配線層上に、ポリイミド前駆体溶液をダイコーターでコーティングし、乾燥後、レジスト製版し現像と同時にポリイミド前駆体膜をエッチングし、その後、窒素雰囲気下、加熱することにより硬化（イミド化）させ、第二絶縁層を形成した（図１３（ｃ））。次に、第二絶縁層の表面上に、スパッタリング法によりＣｒからなるシード層を形成した。次に、シード層上に所定のレジストパターンを形成し、そのレジストパターンから露出する部分に、第二配線層を形成した（図１３（ｄ））。
【００９２】
その後、パターニングされた第二配線層上に、ポリイミド前駆体溶液をダイコーターでコーティングし、乾燥後、レジスト製版し現像と同時にポリイミド前駆体膜をエッチングし、その後、窒素雰囲気下、加熱することにより硬化（イミド化）させ、カバー層を形成した（図１３（ｅ））。次に、絶縁部材をパターニングするために、レジスト製版し、露出する部位のポリイミド樹脂をウェットエッチングで除去した（図１３（ｆ））。
【００９３】
その後、電解めっき法により、第一配線層および第二配線層の端子部に、配線めっき部（Ａｕめっき部）を形成した。最後に、不要な金属支持基板をウェットエッチングにより除去することで、サスペンション用基板を得た（図１３（ｇ））。
【符号の説明】
【００９４】
１…金属支持基板、  ２ｘ…第一絶縁層、  ２ｙ…第二絶縁層、  ３ｘ…第一配線層、  ３ｙ…第二配線層、  ３ａ、３ｂ…ライト用配線層、  ３ｃ、３ｄ…リード用配線層、  ３ｅ、３ｆ…機能性素子用配線層（熱アシスト用配線層、アクチュエータ素子用配線層）、  ４…カバー層、  ５…配線めっき部、  １２…導電性接続部、  １００…サスペンション用基板、  １０１…記録再生用素子実装領域、  １０２…外部回路基板接続領域、  １０３…配線層、  ２１０…熱アシスト用素子、  ２２０…記録再生用素子、  ２３０…接着層、  ３０１…開口部、  ３１０…ロードビーム
【図１】
0005703697.tif 000002
【図２】
0005703697.tif 000003
【図３】
0005703697.tif 000004
【図４】
0005703697.tif 000005
【図５】
0005703697.tif 000006
【図６】
0005703697.tif 000007
【図７】
0005703697.tif 000008
【図８】
0005703697.tif 000009
【図９】
0005703697.tif 000010
【図１０】
0005703697.tif 000011
【図１１】
0005703697.tif 000012
【図１２】
0005703697.tif 000013
【図１３】
0005703697.tif 000014